(57)【要約】【課題】  部屋に複数人が存在し何れかの人物が退室した時や、客人が来て招き入れた時でも、誤報を起こさない鍵置き忘れ防止システムを提供する。【解決手段】  ドア３の開閉を検知するドア開閉検知手段４と、ドア３に対向する壁Ｗａまでの距離Ｌ１よりも短くなるように送信電波Ｗ１の有効送信範囲Ｌ２が設定され、ドア３の鍵５を保持可能に構成されたホルダユニット６と、そのホルダユニット６がドア３近傍ＵＤに位置したときの有効送信範囲Ｌ２外のエリアＡに設置されたアンテナ１２と、部屋Ｒ内部のドア３近傍ＵＤを除き、部屋Ｒの略全てを検知範囲とする人体検知センサ７と、鍵５の置き忘れを報知するスピーカ２と、ドア開閉検知手段４にてドア３の開閉を検知した時に、アンテナ１２にて送信電波Ｗ１が受信でき、かつ人体検知センサ７にて人体の検知がされなかった場合にスピーカ２にて警告を発する。【選択図】  図１
2005232931.tif 000002
【特許請求の範囲】
【請求項１】
部屋に設けられたドアが開いたこと若しくは閉じたことを検知するドア開閉検知手段と、そのドアに対向する壁までの距離よりも短くなるように送信電波の有効送信範囲が設定され、前記ドアの鍵を保持可能に構成された送信機と、その送信機がドア近傍に位置したときの有効送信範囲外に設置されたアンテナを具備してなる受信機と、部屋内部のドア近傍を除き、当該部屋の略全てを検知範囲とする人体検知手段と、鍵の置き忘れを報知する警告手段と、ドア開閉検知手段にてドアが開いたこと若しくは閉じたことを検知したときに、受信手段にて前記送信電波が受信でき、かつ人体検知手段にて人体の検知がされなかった場合に、警告手段に報知命令をする制御手段と、を備えたことを特徴とする鍵置き忘れ防止システム。
【請求項２】
部屋に設けられたドアが開いたこと若しくは閉じたことを検知するドア開閉検知手段と、部屋内部のドア近傍を除き、当該部屋の略全てを検知範囲とする人体検知手段と、前記ドアに対向する壁までの距離よりも短い有効送信範囲を具備しつつ、受信機がドア近傍に位置したときに当該受信機に送信電波が受信されない位置にアンテナが設置され、前記ドア開閉検知手段にて当該ドアが開いたこと若しく閉じたことを検知し、前記人体検知手段にて人体の検知がされなかった場合に、前記アンテナから電波を送信する送信機と、前記ドアの鍵を保持可能に構成され、鍵の置き忘れを報知する警告手段及び、前記送信機からの電波を受信できた場合に当該警告手段に報知命令をする制御手段を具備した受信機と、を備えたことを特徴とする鍵置き忘れ防止システム。
【請求項３】
部屋に設けられたドアが開いたこと若しくは閉じたことを検知するドア開閉検知手段と、そのドア近傍に設置されたアンテナを具備してなる受信機と、前記ドア近傍に位置したときに、送信電波が前記受信機にて受信されるように設定されると共に、そのドアの鍵を保持可能に構成された送信機と、部屋内部のドア近傍を除き、当該部屋の略全てを検知範囲とする人体検知手段と、鍵の置き忘れを報知する警告手段と、ドア開閉検知手段にてドアが開いたこと若しくは閉じたことを検知したときに、受信手段にて前記送信電波が受信できず、かつ人体検知手段にて人体の検知がされなかった場合に、警告手段に報知命令をする制御手段と、を備えたことを特徴とする鍵置き忘れ防止システム。
【請求項４】
前記制御手段は、ドア開閉検知手段が、ドアが開いたこと若しくは閉じたことを検知したときに、受信手段にて前記送信電波が受信でき、かつ人体検知手段にて人体の検知がされなかった場合に、当該ドアのオートロックをしないことを特徴とする請求項１又は請求項３記載の鍵置き忘れ防止システム。
【請求項５】
前記制御手段は、部屋から残り一つとなった送信機が置き忘れられている場合に、鍵の置き忘れを報知するようにしたことを特徴とする請求項１又は請求項３又は請求項４記載の鍵置き忘れ防止システム。
【請求項６】
前記警告手段が、複数が設けられていることを特徴とする請求項１乃至５何れか記載の鍵置き忘れ防止システム。
【発明の詳細な説明】
【技術分野】
【０００１】
本発明は、室内に鍵を置き忘れたまま、オートロック式のドアを備えた部屋より退室した際に、当該部屋から締め出されることを防止する鍵置き忘れ防止システムに関するものである。
【背景技術】
【０００２】
ホテルなどの宿泊施設では、利用者の便宜や防犯効果を高めるために、オートロック式のドアを採用するところが多い。しかしながら、これらの効果とは裏腹に、宿泊している部屋に鍵を置き忘れたまま退出し、その部屋から締め出されてしまう利用者が散見される。かかる場合、利用者は態々フロントまで合鍵を取り行かねばならず、高層ホテルなどでは、フロントとロックアウトした部屋までの行き来に相当時間を要する場合もあった。そのため、オートロックの有利な面を維持しつつ、鍵を室内に置き忘れた場合に、これを効果的に防止できるシステムを求める声が少なからずあった。
【０００３】
このようなシステムの従来例としては、特開平4-155080号公報（特許文献１）に開示されたものが知られている。このシステムは、少なくとも識別情報を常時発信する微弱電力型の送信機と、扉が開閉したことを検知する検知器と、室外方向に指向性を持つアンテナを具備した受信機とを備え、扉が閉まったことを検知し、かつ識別情報を受信できなかった場合に、鍵の置き忘れを警告する警報を鳴らすものである。すなわち、室内に鍵に相当する送信機を置き忘れた場合には、受信機まで識別情報を含む電波が届かないので、これを利用して、鍵の置き忘れを防止しようとするものである。
【０００４】
また、特開2003-132435号公報（特許文献２）には、パッシブタグを利用したホテル来客サービスシステムが開示されている。このシステムの一機能には、オートロックによる締め出し防止機能も含まれており、ドアが閉まった際に、室内等に設置したタグリーダーから送信命令を出力し、パッシブタグ内蔵のキーより返信があった場合には、置き忘れがある旨のメッセージを出力するものである。すなわち、室内に鍵を置き忘れた場合には、当該鍵に内蔵されたパッシブタグからタグリーダーへと電波が届くので、これを利用して、置き忘れを防止しようとするものである。以上のように、従来技術として、電波検出の有無をもって、鍵の置き忘れを防止しようとしたものが知られていた。
【０００５】
【特許文献１】特開平４−１５５０８０号公報
【特許文献２】特開２００３−１３２４３５号公報
【発明の開示】
【発明が解決しようとする課題】
【０００６】
しかしながら、上述の各システムでは、何れもドアが閉まったときの電波検出の有無を以て、鍵が置き忘れられたかどうかを判断しているため、部屋に複数人が存在していて、そのうちの何れかの人物が退室した場合や、客人が来て招き入れた場合などにも、鍵のおき忘れであると誤報がなされるという問題があった。すなわち、これらの場合、少なくとも何れかの者が継続して在室することになるため、当該部屋から退室する者は、鍵を保持して退室する必要性を感じず、鍵は部屋の中に残されることとなる。それにも係らず、上記各システムは、ドアが閉まったときの電波検出の有無を以てのみ判断しているため、本来、鍵が部屋の中にあって良いにも係らず、鍵の置き忘れであると誤った認識をするという問題があった。
【０００７】
本発明は上記問題点に鑑みてなされたものであって、その目的とするところは、部屋に複数人が存在していて、そのうちの何れかの人物が退室した場合や、客人が来て招き入れた場合であっても、誤報を起こすことのない鍵置き忘れ防止システムを提供することにある。
【課題を解決するための手段】
【０００８】
かかるシステムを提供するために、請求項１に対応する手段として、部屋に設けられたドアが開いたこと若しくは閉じたことを検知するドア開閉検知手段と、そのドアに対向する壁までの距離よりも短くなるように有効送信範囲が設定され、前記ドアの鍵を保持可能に構成された送信機と、その送信機がドア近傍に位置したときの有効送信範囲外に設置されたアンテナを具備してなる受信機と、部屋内部のドア近傍を除き、当該部屋の略全てを検知範囲とする人体検知手段と、鍵の置き忘れを報知する警告手段と、ドア開閉検知手段にてドアが開いたこと若しくは閉じたことを検知したときに、受信手段にて前記送信電波が受信でき、かつ人体検知手段にて人体の検知がされなかった場合に、警告手段に報知命令をする制御手段と、を備えることが好ましい。
【０００９】
また、請求項２に対応する手段として、部屋に設けられたドアが開いたこと若しくは閉じたことを検知するドア開閉検知手段と、部屋内部のドア近傍を除き、当該部屋の略全てを検知範囲とする人体検知手段と、ドアに対向する壁までの距離よりも短い有効送信範囲を具備しつつ、受信機がドア近傍に位置したときに当該受信機に送信電波が受信されない位置にアンテナが設置され、前記ドア開閉検知手段にて当該ドアが開いたこと若しく閉じたことを検知し、前記人体検知手段にて人体の検知がされなかった場合に、前記アンテナから電波を送信する送信機と、前記ドアの鍵を保持可能に構成され、鍵の置き忘れを報知する警告手段及び、前記送信機からの電波を受信できた場合に当該警告手段に報知命令をする制御手段を具備した受信機と、を備えることが好ましい。
【００１０】
さらに、請求項３に対応する手段として、部屋に設けられたドアが開いたこと若しくは閉じたことを検知するドア開閉検知手段と、そのドア近傍に設置されたアンテナを具備してなる受信機と、前記ドア近傍に位置したときに、送信電波が前記受信機にて受信されるように設定されると共に、そのドアの鍵を保持可能に構成された送信機と、部屋内部のドア近傍を除き、当該部屋の略全てを検知範囲とする人体検知手段と、鍵の置き忘れを報知する警告手段と、ドア開閉検知手段にてドアが開いたこと若しくは閉じたことを検知したときに、受信手段にて前記送信電波が受信できず、かつ人体検知手段にて人体の検知がされなかった場合に、警告手段に報知命令をする制御手段と、を備えることが好ましい。
【００１１】
また、請求項４に対応する手段として、請求項１又は請求項３の制御手段は、ドア開閉検知手段が、ドアが開いたこと若しくは閉じたことを検知したときに、受信手段にて前記送信電波が受信でき、かつ人体検知手段にて人体の検知がされなかった場合に、当該ドアのオートロックをしないことが好ましい。
【００１２】
また、請求項５に対応する手段として、請求項１又は請求項３又は請求項４の制御手段は、部屋から残り一つとなった送信機が置き忘れられている場合に、鍵の置き忘れを報知するようにすることも好ましいものである。また、請求項６に対応する手段として、請求項１乃至請求項５何れかの手段に対し、前記警告手段が、複数が設けられていることも好ましいものである。
【発明の効果】
【００１３】
而して、請求項１乃至請求項３に対応する手段によれば、部屋に複数人が存在していて、そのうちの何れかの人物が退室した場合や、客人が来て招き入れた場合であっても、誤報を起こすことがないという効果を奏するものである。また、請求項４に対応する手段によれば、鍵の置き忘れの際にオートロックによって、部屋から締め出されることがないという効果を奏するものである。
【００１４】
また、請求項５に対応する手段によれば、複数の同室者が最後の送信機を持つ人物を残して、他の送信機を忘れずに持ち出し、その後に当該最後の送信機を持つ人物が、その送信機を忘れた場合に限って、鍵の置き忘れを警告するので、警告により喧騒となることがなく、かつ確実に鍵の置き忘れを防止することが可能となるという効果を奏するものである。また、請求項６に対応する手段によれば、鍵の置忘れを何重にも報知するようになっているので、より確実に鍵の置き忘れを防止することができるという効果を奏するものである。
【発明を実施するための最良の形態】
【００１５】
〔第１の実施の形態〕
次に、上述の解決手段を踏まえ、本発明を実施するにあたって好ましい実施の形態を説明する。本実施形態は請求項１に対応する実施形態である。まず、その概要について説明すると次の通りである。図１に示すように、鍵５が取り付けられたホルダユニット６から電波Ｗ１を送信し、その電波Ｗ１を部屋Ｒの隅に設置したアンテナ１２で受信するようにする。このとき、ホルダユニット６から送信される電波Ｗ１の有効送信範囲は、ドア３に対向する壁Ｗａまでの距離Ｌ１よりも短いＬ２に設定され、アンテナ１２は、ホルダユニット６がドア３近傍に位置したときの有効送信範囲Ｌ２外のエリアＡに設置される。而して、利用者がホルダユニット６を保持して退室しようとすると、同図に示すように、ホルダユニット６からの電波Ｗ１が、アンテナ１２で受信できなくなる。そこで、これを利用して、部屋Ｒのドア３が開けられたことをドア開閉検出手段４が検出した際に、当該電波Ｗ１が受信できなかった場合に、鍵５が置き忘れられていることを、報知手段たるスピーカ２にて通知しようというものである。
【００１６】
ここまでの基本的思想は従来技術と略同様である。ここで、本実施形態が従来技術と異なり特徴を有するのは、部屋Ｒ内部のドア３近傍ＵＤ（Ｌ１−Ｌ２の範囲）を除き、当該部屋Ｒの略全てを検知範囲とする人体検知センサ７を新たに設け、図２に示すように、ドア３が開けられたことを検知したときに（ステップＳ１）、アンテナ１２にてホルダユニット６の電波Ｗ１を受信できた場合であって（ステップＳ２）、かつ部屋Ｒ内に誰も在室していない場合に（ステップＳ３）、スピーカ２にて鍵が置き忘れられていることを報知するようにした点である（ステップＳ４）。このように、電波Ｗ１が受信できた場合であっても、人体が検知された場合には、鍵置き忘れの報知をしないので、部屋に複数人が存在していて、そのうちの何れかの人物が退室した場合や、客人が来て招き入れた場合であっても、誤報を防止することができる。尚、ドア３が開いたことを検知すると説明したが、言うまでもなく、ドア３が閉まったことを検知しても良いものである。
【００１７】
次に、上記動作を達成するための具体的な構成について、図１及び図３を参照して詳細に説明する。尚、図３は本実施形態の各部の構成を示すブロック図である。まず、本実施形態の鍵置き忘れ防止システムは、鍵の置き忘れを判断するための室内ユニット１と、鍵の置き忘れを知らせる報知手段たるスピーカ２と、ドア３の開閉を検出するドア開閉検出手段４と、当該部屋Ｒの鍵５が取り付けられ、主としてその鍵を使用する場合に部屋Ｒの利用者によって保持されるホルダユニット６と、部屋Ｒ内部のドア３近傍ＵＤを除き、当該室内に在室している人を検知する人体検知センサ７とを備えている。ここで、部屋Ｒが狭いなどの場合には、室内ユニット１とスピーカ２とを一体に構成しても良い。
【００１８】
室内ユニット１は、商用電源から電力供給を受けて、当該ユニット内の各部に直流電力を供給する電源回路１１と、ホルダユニット６から送信される電波Ｗ１（送信電波）を、アンテナ１２を介して受信するための受信回路１３とを備え、受信機としての機能を具備している。また、室内ユニット１は、当該受信回路１３から電波Ｗ１に含まれる信号と、ドア開閉検出手段４で検知したドア３の開閉信号と、人体検知センサ７からの検出信号とから、上述した所定の条件に合致した場合に、スピーカ２から鍵の置き忘れを報知させる制御回路１４を備え、制御手段としての機能も具備している。ここで、電源回路１１は、商用電源であるＡＣ１００Ｖを、各回路の動作電圧に変換するＡＣ−ＤＣコンバータである。
【００１９】
また、アンテナ１２は、部屋Ｒの天井や壁面又はそれらの裏側に取り付けられるものであり、ホルダユニット６の電波Ｗ１が受信できるものであれば、特に限定されるものではないが、好ましくは、部屋Ｒ全体を検知範囲とする指向性アンテナであって、例えば、小型で美感を損ねないパッチアンテナなどが用いられる。尚、当該アンテナ１２は、ホルダユニット６がドア３近傍に位置したときの有効送信範囲Ｌ２外のエリアＡに設置されており、室内ユニット１と別体にすることのみならず、一体に構成しても良いものである。次に、受信回路１３は、特定小電力無線ないし微弱無線に適合する受信回路であって、アンテナ１２で受信した電波Ｗ１を増幅してフィルタリングし、その後、復調を行って当該ホルダユニット６から送信された信号を取得し、制御回路１４へと出力する機能を持っている。
【００２０】
ここで、特定小電力無線の規格を採用した場合には、電波Ｗ１の有効送信範囲Ｌ２は、数１０ｍにも達するため、アンテナ１２の利得を小さく設計したり、アンテナ１２と受信回路１３との間にアッテネータ（減衰器）を挿入したり、受信回路１３を一定値以上の信号強度でなければ受信しないようにしたりすることで、ドア３から最も遠くなる位置Ｌ１よりも小さい距離Ｌ２になるように調整される。すなわち、ホルダユニット６がドア３近傍に位置したときに、電波Ｗ１がアンテナ１２にて受信されないように調整されている。制御回路１４は、室内ユニット１内の各部をはじめ、スピーカ２への出力、ドア開閉検出手段４からの開閉信号並びに、人体検知センサ７からの検知信号を受信して処理を行う、いわゆるマイコンであって、そのメモリには、対応するホルダユニット６の個別識別符号が予め登録されている。
【００２１】
その他の各部についての説明を続けると、スピーカ２は、上述した制御回路１４からの報知命令に従って、注意を喚起する警報音を発し、必要に応じて音声合成により「鍵を置き忘れています！」などの音声を発するものであって、例えば、室内Ｒの天井中央に設けられる。ドア３は、いわゆる一般のドアであって、少なくとも扉部３１を備えており、本実施形態の場合には、その扉部３１の全周を囲む枠部３２が備えられている。ここで、扉部３１の自由端側の先端には磁石４１が備えられており、枠部３２の対応する位置に設けられたリードスイッチ４２によって、ドア開閉検出手段４が構成されている。そして、扉部３１が閉まったときに、磁石４１がリードスイッチ４２に近接して、スイッチがＯＮ又はＯＦＦすることによって、制御回路１４は、ドア３の開閉を検知することができようになっている。尚、磁石４１は扉部３１に設けるとして説明したが、当然に枠部３２に設けると共に、リードスイッチ４２を扉部３１に設けるようにしても良いものである。
【００２２】
次に、ホルダユニット６は、鍵５を保持可能に構成された、いわゆるキーホルダであって、その構成は、アンテナ６１を介して電波Ｗ１を出力するための送信回路６２と、その送信回路６２を介して、所定間隔毎（例えば、数秒間隔毎）に室内ユニット１のアンテナ１２に向けて送信信号を出力する制御回路６３と、当該各部に対して電力を供給する電池６４とを備え、送信機としての機能を具備している。ここで、アンテナ６１は、電波Ｗ１を送信できるものであれば、特に限定されるものではないが、ホルダユニット６がどのような方向に置かれるか不明なので、どの方向であってもアンテナ１２へ電波Ｗ１を送信できるよう、無指向性アンテナを採用することが好ましく、例えば、モノポールアンテナなどが用いられる。
【００２３】
送信回路６２は、室内ユニット１の受信回路１３に対応して、特定小電力無線ないし微弱無線に適合する送信回路であって、制御回路６３から送信された信号を搬送波にて変調して、送信電力まで増幅した後、アンテナ６１から電波Ｗ１を送信する機能を持っている。制御回路６３は、上述の送信回路６３への送信信号として、一例として後述するフォーマットに従い、自己のメモリに記憶された個別識別符号を含む信号を作成する。電池６４は、各部に電力を供給するものであれば良く、特に限定されるものではないが、好ましくは充電式電池であって、例えばニッケル水素電池である。そして、当該電池６４は、ホテルなどの宿泊施設で採用された場合にはフロントで、オフィスなどの就業施設で採用された場合には、当該施設の管理事務所などに設置した充電器（図示せず）で充電されるようになっている。
【００２４】
人体検知センサ７は、部屋Ｒ内部のドア３近傍ＵＤ（Ｌ１−Ｌ２の範囲）を除いて、当該部屋Ｒの略全てを検知範囲とし、その検知範囲内の人体を検知できれば足り、特に限定されるものではないが、例えば、焦電センサなどの受動型赤外線センサをはじめとして、能動型赤外線センサ、超音波センサ、画像処理によって判別しても良いものである。尚、受動型赤外線センサを用いた場合の検知範囲の設定には、一例として、マルチレンズやフレネルレンズなどが用いられる。また、部屋Ｒには、図１に示すように、複数の人体検知センサ７を設けても良いものである。さらに、図１では部屋Ｒとして、ベッドＢ、浴室・洗面Ｗを備え、ドア３を介して廊下Ｃに接しているホテルなどの客室を例示しているが、オートロック式のドアを採用した部屋であれば良く、特に限定されるものではない。
【００２５】
従って、例えば、上述したオフィスなどの就業施設をはじめ、機密管理施設であっても良いものである。また、同図においてドア３は一つしか例示していないが、複数あっても良く、この場合、アンテナ１２は、それぞれのドアから均等な距離に設置されるようになっている。尚、室内ユニット１とホルダユニット６との間の通信フォーマットは、通信が可能であれば良く、特に限定するものではないが、例えば図４に示すように、１と０が交互に配置されたプリアンブルＰと、固定のビット列からなる同期ワードＳＷと、ホルダユニット６毎に異なるユニークな個別識別符号ＩＮとを備えたものが使用される。
【００２６】
次に、上述の構成等を踏まえ、本実施形態に係る鍵置き忘れ防止システムの動作について図１乃至図４を参照して詳細に説明する。まず、ホルダユニット６の制御回路６３は、自己のメモリを参照して、通信フォーマットに個別識別符号ＩＮを格納すると共に、プリアンブルＰと同期ワードＳＷとを付加して、所定時間毎に送信信号を作成し、送信回路６２、アンテナ６１を介して、室内ユニット１に向けて電波Ｗ１を送信する。室内ユニット１の制御回路１４は、リードスイッチ４２により、扉部３１が開いたこと、若しくは閉じたことを検知すると（ステップＳ１）、受信回路１３により電波Ｗ１が検出できるか判断する（ステップＳ２）。
【００２７】
ここで、ホルダユニット６の電波Ｗ１の有効送信範囲Ｌ２内に、室内ユニット１のアンテナ１２が存在しないか、若しくは当該有効送信範囲Ｌ２内に存在していても、室内ユニット１に未登録のホルダユニット６である場合には、無線受信できないものとして扱われる（ステップＳ２のＮ）。すなわち、前者の場合には、電波Ｗ１が室内ユニット１のアンテナ１２に到達せず物理的に不可能なためであり、後者の場合には、室内ユニット１の制御回路１４が、自己のメモリに登録された個別識別符号と照合して、当該メモリに格納されていないことを認識し、当該部屋Ｒに未対応のホルダユニット６と判断されるためである。尚、登録したホルダユニット６にのみ応答するのは、隣室のホルダユニット６などとの混信を防止するためである。
【００２８】
一方、室内ユニット１に登録されたホルダユニット６が、ホルダユニット６の電波Ｗ１の有効送信範囲Ｌ２内に存在している場合には、（ステップＳ２のＹ）、同制御回路１４は、部屋Ｒ内部のドア３近傍ＵＤを除き、当該部屋Ｒの略全てを検知範囲とする人体検知センサ７が、人体を検知しているか判断する（ステップＳ３）。このとき、人体を検知している場合には、部屋に複数人が存在していて、そのうちの何れかの人物が退室した場合や、客人が来て招き入れた場合であると判断して、鍵の置き忘れを報知しない（ステップＳ３のＹ）。然るに、当該人体検知センサ７で人体を検知できなかった場合には、客人を招き入れた等の場合に該当せず、鍵が置き忘れられているものと判断して（ステップＳ３のＮ）、スピーカ２にて鍵が置き忘れられていることを報知するようになっている（ステップＳ４）。
【００２９】
〔第２の実施の形態〕
次に、請求項４に対応する形態について説明する。以上の実施形態において、本願の発明者らは、客人が来て招き入れたなどの場合であっても、誤報を起こすことのない鍵置き忘れ防止システムを提供することができた。しかしながら、上述の実施形態では、ドアのオートロックとの連動が考慮されていないため、折角、鍵５の置き忘れを報知していても、ドアを閉めてしまうとオートロックが掛かり、結局、締め出されてしまうという問題があった。そこで、本願の発明者らは、図６に示すように、オートロック機構と連動させて、鍵が置き忘れられている場合には、当該オートロックを無効とする一方（ステップＳ４１）、鍵が置き忘れられていない場合には、オートロックを有効にするシステムを想到した。このようにすることで、鍵を置き忘れた場合に締め出されることを防止することができる。
【００３０】
より具体的な構成について説明すると、図５に示す通りである。すなわち、同図に示すように、第１の実施形態の構成に対し、扉部３１を開けようとする意志を室内ユニット１に伝えて、人の手によって扉部３１を開けるために室内側に設置された室内用ドアノブ３３と、同様にして室外側に設置された鍵検出手段たる鍵挿入部３４とが扉部３１に設けられ、さらにドア３のロック機構としての電気錠８と、その電気錠８の開閉を制御する電気錠制御装置９とを新たに設けたものである。尚、室外側には従来と同様にして、室外用のドアノブが設けられている（図示せず）。そして、部屋Ｒ内にいる人物が退室しようとして、室内用ドアノブ３３を回動等させると、その情報が制御回路１４へと送信され、当該制御回路１４は電気錠制御装置９に対して開錠指令を送信し、電気錠８が開錠される。次に、同制御回路１４は、リードスイッチ４２にて、扉部３１が開閉したことを検知すると、電気錠制御装置９に対して閉錠指令を送信し、電気錠８が閉錠される。
【００３１】
一方、室外から鍵を開ける場合には、ホルダユニット６に保持された鍵５を、鍵挿入部３４に挿入することで、適合する鍵の場合にのみ、同鍵挿入部３４は、制御回路１４に対して、正当な鍵である旨を送信する。その旨を受信した制御回路１４では、電気錠制御装置９に対して開錠指令を送信し、電気錠８が開錠され、その後、リードスイッチ４２にて、扉部３１が開閉したことを検知すると、電気錠制御装置９に対して閉錠指令を送信し、電気錠８が閉錠される。以上のようにして、オートロック機能が再現されている。而して、本実施形態の全体の動作について、図５に加え図６を参照して説明すると、次の通りである。まず、扉部３１が開いたこと、若しくは閉じたことが検知されると（ステップＳ１）、アンテナ１２によって、ホルダユニット６からの電波Ｗ１が検出できるか判断される（ステップＳ２）。この動作は、第１の実施形態の動作と略同様である。
【００３２】
ここで、本実施形態が上述の実施形態と異なり、特徴を有するのは、電波Ｗ１の受信が可能な場合であって（ステップＳ２のＹ）、かつ人体検知センサ７が人体を検知しなかった場合に（ステップＳ３のＮ）、室内ユニット１の制御回路１４は、スピーカ２より鍵の置き忘れを報知させると共に、扉部３１が開閉したことを検知しても、電気錠制御装置９に対して閉錠指令を送信せず、オートロックを無効としたことに特徴がある（ステップＳ４１）。一方、電波Ｗ１の受信が不可能な場合には、鍵５を持ち出していると判断し（ステップＳ２のＮ）、又は人体検知センサ７が人体を検知した場合には、客人等を招き入れていると判断して（ステップＳ３のＹ）、扉部３１が開閉したことを検知したことを検知すると、制御回路１４は、鍵５の置き忘れでないとして、電気錠制御装置９に対して閉錠指令を送信し、オートロックを有効とするようになっている。尚、その他の構成及び動作については第１の実施形態と同様であるから、同一の符号を付して説明を省略する。
【００３３】
〔第３の実施の形態〕
次に、第１の実施形態と別の形態（請求項２に対応する形態）について説明する。第１の実施形態では、図１に示すように、ホルダユニット６から送信される電波Ｗ１を、室内ユニット１のアンテナ１２により受信する構成としていたが、本実施形態では図７に示すように、第１の実施形態とは逆に、当該アンテナ１２から送信された電波Ｗ２がホルダユニット６で受信できるか、つまり電波Ｗ２の有効送信範囲Ｌ２’に、ホルダユニット６が存在しているかを以て、鍵の置き忘れを検知しようとするものである。ここで、有効送信範囲Ｌ２’は、ドア３に対向する壁Ｗａまでの距離Ｌ１よりも短いＬ２になるように設定され、ドア３近傍にホルダユニット６が位置したときに、アンテナ１２からの電波Ｗ２が受信されないようにしたものである。
【００３４】
その具体的な構成について説明すると、図８に示す通りである。すなわち、同図に示すように、第１の実施形態の構成に比して、ホルダユニット６は、送信回路６４の代わりに受信回路６５を備え、さらにスピーカ２を備えており、受信機としての機能を具備している。また、室内ユニット１は、受信回路１３の代わりに送信回路１５を備え、送信機としての機能を具備している。尚、室内ユニット１は、ホルダユニット６がスピーカ２を備えているので、自己には同スピーカ２が設けられていない点で相違している。
【００３５】
各構成についてより詳しく説明すると、室内ユニット１に新たに設けられた送信回路１５は、特定小電力無線ないし微弱無線に適合する送信回路であって、制御回路１４から送信された信号を搬送波にて変調して、送信電力まで増幅した後、アンテナ１２から電波Ｗ２を送信する機能を持っている。ここで、本実施形態の制御回路１４は、上述の送信回路１５への送信信号として、上述のフォーマットに従い、自己のメモリに記憶された個別識別符号を含む信号を作成するようになっている。一方、ホルダユニット６の受信回路６５は、同様に特定小電力無線等に適合する受信回路であって、アンテナ６１で受信した電波Ｗ２を増幅してフィルタリングし、その後、復調を行って当該室内ユニット１から送信された信号を取得し、制御回路６３へと出力する機能を持っている。
【００３６】
次に、上述の構成等を踏まえ、本実施形態の動作について、図４、図７乃至図９を参照して説明する。まず、室内ユニット１の制御回路１４は、リードスイッチ４２により、扉部３１が開いたこと、若しくは閉じたことを検知すると（ステップＳ１）、部屋Ｒ内部のドア３近傍ＵＤを除き、当該部屋Ｒの略全てを検知範囲とする人体検知センサ７が、人体を検知しているか判断して不検知の場合に（ステップＳ１１）、自己のメモリを参照して個別識別符号を含む送信信号を作成し、送信回路１５、アンテナ１２を介して、ホルダユニット６に向けて電波Ｗ２を送信する（ステップＳ２１）。ここで、ホルダユニット６に登録された室内ユニット１が、ホルダユニット６の受信範囲Ｌ２’内に存在している場合には、当該室内ユニット１から送信された電波Ｗ２を受信できるため（ステップＳ２２）、この場合、客人を招き入れた等の場合に該当せず、鍵が置き忘れられているものと判断して、スピーカ２にて鍵が置き忘れられていることを報知するようになっている（ステップＳ４）。
【００３７】
このように、扉部３１が開いたとき若しくは閉じたときに、部屋Ｒ内部のドア３近傍ＵＤを除き、当該部屋Ｒの略全てを検知範囲とする人体検知センサによって、人体が検知されなかった場合に、部屋Ｒの隅に設置したアンテナ１２より電波Ｗ２を送信して、その電波Ｗ２がホルダユニット６によって受信された場合に、鍵置き忘れの報知をするようになっている。一方、扉部３１が開いたとき若しくは閉じたときに、人体の検知がされた場合には、当該アンテナ１２から電波Ｗ２が送信されないので、ドア３近傍ＵＤ以外の部屋Ｒ内部にホルダユニット６が置かれていても、鍵の置き忘れの報知がなされないようになっている。従って、本実施形態の構成においても、部屋に複数人が存在していて、そのうちの何れかの人物が退室した場合や、客人が来て招き入れた場合であっても、誤報を防止することができる。尚、その他の構成及び動作については第１の実施形態と同様であるから、同一の符号を付して説明を省略する。
【００３８】
〔第４の実施の形態〕
次に、第１の実施形態と別の形態（請求項３に対応する形態）について、図１０及び図１１に基づいて詳細に説明する。上述の第１の実施形態では、図１に示すように、室内ユニット１のアンテナ１２を、ドア３から最も遠くなる位置Ｌ１に設置し、ホルダユニット６から送信される電波Ｗ１の有効送信範囲Ｌ２を、当該Ｌ１よりも小さい距離になるように調整していた。これに対し、本実施形態では当該アンテナ１２をドア３の近傍ＵＤに設置すると共に、当該近傍ＵＤ内でのみ電波Ｗ１が受信されるよう電波Ｗ１の有効送信範囲Ｌ３を調整して、ホルダユニット６から送信された電波Ｗ１が、アンテナ１２によって受信できない場合に（ステップＳ２４）、鍵の置き忘れを報知しようとするものである。
【００３９】
その動作について説明すると、図１１に示す通りである。同図に示すように、扉部３１が開いたこと、若しくは閉じたことが検知されると（ステップＳ１）、受信回路１３により電波Ｗ１が検出できるか判断される（ステップＳ２）。ここで、ホルダユニット６の電波Ｗ１の有効送信範囲Ｌ３内に、室内ユニット１のアンテナ１２が存在する場合には電波Ｗ１が受信できるので、部屋Ｒ１内部に鍵５が置き忘れられていないとして、鍵の置き忘れの警告はなされない（ステップＳ２４のＮ）。一方、ホルダユニット６の電波Ｗ１の有効送信範囲Ｌ３内に、アンテナ１２が存在していない場合には（ステップＳ２４のＹ）、部屋Ｒ内部のドア３近傍ＵＤを除き、当該部屋Ｒの略全てを検知範囲とする人体検知センサ７が、人体を検知しているか判断する（ステップＳ３）。
【００４０】
このとき、人体を検知している場合には、客人が来て招き入れた場合等であると判断して、鍵の置き忘れを報知しないが（ステップＳ３のＹ）、当該人体検知センサ７で人体を検知できなかった場合には、客人を招き入れた等の場合に該当せず、鍵が置き忘れられているものと判断して（ステップＳ３のＮ）、スピーカ２にて鍵が置き忘れられていることを報知するようになっている（ステップＳ４）。尚、その他の構成及び動作については第１の実施形態と同様であるから、同一の符号を付して説明を省略する。また、鍵の置き忘れがあった場合には、第２の実施形態と同様にして、オートロックを無効とするようにしても良いものである。
【００４１】
〔第５の実施の形態〕
次に、第１の実施形態の応用形態（請求項５に対応する形態）について、図３、図１２に基づいて説明する。本実施形態が第１の実施形態と異なり、特徴を有するのは、互いに異なる個別識別符号が予め格納され、互いの送信タイミングが重ならないよう、ランダムな周期で所定時間毎に電波Ｗ１を送信するホルダユニット６が複数あり、部屋Ｒから残り一つとなったホルダユニット６が置き忘れられている場合に（ステップＳ２３）、鍵の置き忘れを報知するようにしたことを特徴としたものである。その動作について詳細に説明すると、まず同図に示すように、扉部３１が開いたこと、若しくは閉じたことが検知されると（ステップＳ１）、室内ユニット１の制御回路１４は、受信回路１３により、電波Ｗ１が検出できるか判断する（ステップＳ２）。
【００４２】
このとき、複数のホルダユニット６から返信があった場合には、部屋Ｒ内には複数のホルダユニット６が存在し、当該部屋Ｒから締め出されることがないと判断して、鍵の置き忘れの報知は行わない（ステップＳ２３のＮ）。一方、室内ユニット１に登録されたホルダユニット６が、残り一つとなっている場合には（ステップＳ２３のＹ）、当該部屋Ｒから締め出される恐れがあると判断して、当該制御回路１４は、部屋Ｒ内部のドア３近傍ＵＤを除き、当該部屋Ｒの略全てを検知範囲とする人体検知センサ７が、人体を検知しているか判断する（ステップＳ３）。そして、人体が検知されている場合には、客人が来て招き入れた等の場合であると判断して、鍵の置き忘れを報知しないが（ステップＳ３のＹ）、当該人体検知センサ７で人体を検知できなかった場合には、鍵が置き忘れられているものと判断して（ステップＳ３のＮ）、スピーカ２にて鍵が置き忘れられていることを報知するようになっている（ステップＳ４）。
【００４３】
このように、最後の鍵５に対応するホルダユニット６についてのみ、警告がなされるので、複数の同室者が最後のホルダユニット６を持つ人物を残して、他のホルダユニット６を忘れずに持ち出し、その後に当該最後のホルダユニット６を持つ人物が、そのホルダユニット６を忘れた場合に限って、鍵の置き忘れを警告するので、警告により喧騒となることがなく、かつ確実に鍵の置き忘れを防止することが可能となる。尚、その他の構成及び動作については第１の実施形態と同様であるから、同一の符号を付して説明を省略する。また、第１の実施形態の他、同様にして第２及び第４の実施形態にも適用できるものである。
【００４４】
〔第６の実施の形態〕
次に、第１の実施形態の別の応用形態（請求項６に対応する形態）について、図１３、図１４に基づいて説明する。本実施形態が第１の実施形態と異なり、特徴を有するのは、報知手段を複数設けた点である。すなわち、部屋Ｒの外にも報知手段を設けたものであって、例えば、廊下Ｃに追加スピーカ２’を備え、当該追加スピーカ２’を制御回路１４に接続したものである。また必要に応じて、室内ユニット１の制御回路１４間を相互に接続して、図１３に示すように、複数の部屋Ｒ１、Ｒ２にそれぞれ設置される室内ユニット１で共通の追加スピーカ２’を設けるようにしても良い。また、例えば、同図に示すように、部屋Ｒ１、Ｒ２の室外にある共用の廊下ＣにエレベータＥＶなどがある場合、当該エレベータＥＶの近傍に、その追加スピーカ２’を設けるようにしても良いものである。
【００４５】
而して、何れかの部屋Ｒ１若しくはＲ２において、鍵が置き忘れられた時には、該当する部屋Ｒ１若しくはＲ２のスピーカ２が警告音を発すると共に、追加スピーカ２’でも警告音が発せられる。このとき、追加スピーカ２’からは、どの部屋Ｒ１、Ｒ２で鍵が置き忘れられたのかが明瞭となるように、音声合成にて「○○○号室に鍵が置き忘れられています！」などの音声を発するように構成しても良い。このように、退室時に警告を聞き漏らしたとしても、例えばエレベータＥＶの前など、室外でも警告がなされることによって、鍵の置忘れを二重に報知するようになっているので、より確実に鍵の置き忘れを防止することができる。尚、その他の構成及び動作については第１の実施形態と同様であるから、同一の符号を付して説明を省略する。また、第１の実施形態の他、同様にして第２乃至第５の実施形態にも適用できるものである。
【図面の簡単な説明】
【００４６】
【図１】第１の実施形態に係る鍵置き忘れ防止システムの概略図である。
【図２】第１の実施形態に係る鍵置き忘れ防止システムの動作を示すフローチャートである。
【図３】第１の実施形態に係る鍵置き忘れ防止システムの構成を示すブロック図である。
【図４】第１の実施形態に係る鍵置き忘れ防止システムで用いられる通信フォーマットの例である。
【図５】第２の実施形態に係る鍵置き忘れ防止システムの構成を示すブロック図である。
【図６】第２の実施形態に係る鍵置き忘れ防止システムの動作を示すフローチャートである。
【図７】第３の実施形態に係る鍵置き忘れ防止システムの構成を示すブロック図である。
【図８】第３の実施形態に係る鍵置き忘れ防止システムの概略図である。
【図９】第３の実施形態に係る鍵置き忘れ防止システムの動作を示すフローチャートである。
【図１０】第４の実施形態に係る鍵置き忘れ防止システムの概略図である。
【図１１】第４の実施形態に係る鍵置き忘れ防止システムの動作を示すフローチャートである。
【図１２】第５の実施形態に係る鍵置き忘れ防止システムの動作を示すフローチャートである。
【図１３】第６の実施形態に係る鍵置き忘れ防止システムの概略図である。
【図１４】第６の実施形態に係る鍵置き忘れ防止システムの構成を示すブロック図である。
【符号の説明】
【００４７】
１    室内ユニット（受信機、送信機）
１２  アンテナ
２    スピーカ（警告手段）
２’  追加スピーカ（警告手段）
３    ドア
４    ドア開閉検知手段
５    鍵
６    ホルダユニット（送信機、受信機）
７    人体検知センサ（人体検知手段）
８    電気錠
９    電気錠制御装置
Ｌ１  ドア３に対向する壁Ｗａまでの距離
Ｌ２  有効送信範囲
【図１】
2005232931.tif 000003
【図２】
2005232931.tif 000004
【図３】
2005232931.tif 000005
【図４】
2005232931.tif 000006
【図５】
2005232931.tif 000007
【図６】
2005232931.tif 000008
【図７】
2005232931.tif 000009
【図８】
2005232931.tif 000010
【図９】
2005232931.tif 000011
【図１０】
2005232931.tif 000012
【図１１】
2005232931.tif 000013
【図１２】
2005232931.tif 000014
【図１３】
2005232931.tif 000015
【図１４】
2005232931.tif 000016